Podtech/llm-jp-corpus-v4-ja_patent huggingface dataset:
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選を行う抽選手段と、
前記抽選の結果に基づいて複数種類の図柄情報を変動表示して所定の表示結果を導出表示する表示手段と、
前記抽選の結果が特定の結果である場合に前記表示手段に特定表示結果を導出表示させる表示制御手段と、
前記特定表示結果の導出表示後に遊技者に利益を付与する利益付与状態に制御可能な利益付与状態制御手段と、
遊技球を受け入れ可能な開放状態と遊技球を受け入れ困難な閉鎖状態とに変化可能な大入賞口と、
前記利益付与状態にて前記大入賞口を所定の開閉態様で制御する開閉制御手段と、
演出を制御可能な演出制御手段と、を備え、
前記演出制御手段は、
前記特定表示結果の導出表示後、前記大入賞口とは異なる特定受入口への入球に基づいて、前記特定表示結果の導出表示前には行われることのない特定演出を実行可能であり、
前記特定表示結果の導出後に制御され得る前記利益付与状態の種類に応じて、前記特定受入口への入球に基づき特定演出を実行する場合と、前記特定受入口への入球に基づき特定演出を実行しない場合とを有することを特徴とする遊技機。
【手続補正２】
【補正対象書類名】明細書
【補正対象項目名】０００４
【補正方法】変更
【補正の内容】
【０００４】
上記遊技機では、大当りとなったことに基づいて打ち込まれた遊技球が大入賞口に入賞しないことで賞球を獲得できないばかりか打ち込んだ遊技球を失うことによる損失が発生するため、大当りになったにもかかわらず遊技興趣を低下させるおそれがあった。
【手続補正３】
【補正対象書類名】明細書
【補正対象項目名】０００５
【補正方法】変更
【補正の内容】
【０００５】
本発明は上記の実状に鑑み、遊技興趣の低下を抑止可能な遊技機を提供することを目的とする。
【手続補正４】
【補正対象書類名】明細書
【補正対象項目名】０００６
【補正方法】変更
【補正の内容】
【０００６】
（解決手段１）
始動条件の成立に基づいて抽選を行う抽選手段と、
前記抽選の結果に基づいて複数種類の図柄情報を変動表示して所定の表示結果を導出表示する表示手段と、
前記抽選の結果が特定の結果である場合に前記表示手段に特定表示結果を導出表示させる表示制御手段と、
前記特定表示結果の導出表示後に遊技者に利益を付与する利益付与状態に制御可能な利益付与状態制御手段と、
遊技球を受け入れ可能な開放状態と遊技球を受け入れ困難な閉鎖状態とに変化可能な大入賞口と、
前記利益付与状態にて前記大入賞口を所定の開閉態様で制御する開閉制御手段と、
演出を制御可能な演出制御手段と、を備え、
前記演出制御手段は、
前記特定表示結果の導出表示後、前記大入賞口とは異なる特定受入口への入球に基づいて、前記特定表示結果の導出表示前には行われることのない特定演出を実行可能であり、
前記特定表示結果の導出後に制御され得る前記利益付与状態の種類に応じて、前記特定受入口への入球に基づき特定演出を実行する場合と、前記特定受入口への入球に基づき特定演出を実行しない場合とを有することを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の遊技機においては、遊技興趣の低下を抑止可能である。
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選を行う抽選手段と、
前記抽選の結果に基づいて複数種類の図柄情報を変動表示して所定の表示結果を導出表示する表示手段と、
前記抽選の結果が特定の結果である場合に前記表示手段に特定表示結果を導出表示させる表示制御手段と、
前記特定表示結果の導出表示後に遊技者に利益を付与する利益付与状態に制御可能な利益付与状態制御手段と、
遊技球を受け入れ可能な開放状態と遊技球を受け入れ困難な閉鎖状態とに変化可能な大入賞口と、
前記利益付与状態にて前記大入賞口を所定の開閉態様で制御する開閉制御手段と、
演出を制御可能な演出制御手段と、を備え、
前記演出制御手段は、
前記特定表示結果の導出表示後、前記大入賞口とは異なる特定受入口への入球に基づいて、前記特定表示結果の導出表示前には行われることのない特定演出を実行可能であり、
前記特定演出の実行に並行して前記大入賞口が開放状態に制御される場合であっても、該特定演出を継続することを特徴とする遊技機。
【手続補正２】
【補正対象書類名】明細書
【補正対象項目名】０００４
【補正方法】変更
【補正の内容】
【０００４】
上記遊技機では図柄変動表示中に実行される演出に対して遊技者による介入が可能になり、遊技者の意思に基づいて演出内容を変化させることが可能であるが、遊技者が操作ボタンを操作することで演出が変化するだけでは、その演出の変化が不十分であり、遊技興趣の低下を招くおそれがあった。
【手続補正３】
【補正対象書類名】明細書
【補正対象項目名】０００５
【補正方法】変更
【補正の内容】
【０００５】
本発明は上記の実状に鑑み、遊技興趣の低下を抑止可能な遊技機を提供することを目的とする。
【手続補正４】
【補正対象書類名】明細書
【補正対象項目名】０００６
【補正方法】変更
【補正の内容】
【０００６】
（解決手段１）
始動条件の成立に基づいて抽選を行う抽選手段と、
前記抽選の結果に基づいて複数種類の図柄情報を変動表示して所定の表示結果を導出表示する表示手段と、
前記抽選の結果が特定の結果である場合に前記表示手段に特定表示結果を導出表示させる表示制御手段と、
前記特定表示結果の導出表示後に遊技者に利益を付与する利益付与状態に制御可能な利益付与状態制御手段と、
遊技球を受け入れ可能な開放状態と遊技球を受け入れ困難な閉鎖状態とに変化可能な大入賞口と、
前記利益付与状態にて前記大入賞口を所定の開閉態様で制御する開閉制御手段と、
演出を制御可能な演出制御手段と、を備え、
前記演出制御手段は、
前記特定表示結果の導出表示後、前記大入賞口とは異なる特定受入口への入球に基づいて、前記特定表示結果の導出表示前には行われることのない特定演出を実行可能であり、
前記特定演出の実行に並行して前記大入賞口が開放状態に制御される場合であっても、該特定演出を継続することを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の遊技機においては、遊技興趣の低下を抑止可能である。
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御する遊技機であって、
遊技者に所定の遊技価値を付与する遊技価値付与手段を備え、
導出表示される識別情報の候補の画像と所定演出を示唆する所定演出示唆画像とが表示される特別演出を含み、
前記特別演出が実行された後、導出表示される前に前記所定演出を実行する所定演出実行手段をさらに備え、
前記遊技価値付与手段は、前記所定演出実行手段により前記所定演出が実行されてから前記有利状態に制御されたときと、前記特別演出が実行された後前記所定演出が実行されずに前記有利状態に制御されたときとで、異なる割合で遊技価値を付与し、
前記特別演出において、導出表示される識別情報の候補の画像を複数表示可能である
ことを特徴とする遊技機。
【手続補正２】
【補正対象書類名】明細書
【補正対象項目名】０００１
【補正方法】変更
【補正の内容】
【０００１】
本発明は、識別情報の可変表示を行い、遊技者にとって有利な有利状態に制御するパチンコ機やスロット機などの遊技機に関する。
【手続補正３】
【補正対象書類名】明細書
【補正対象項目名】００１０
【補正方法】変更
【補正の内容】
【００１０】
そこで、本発明は、導出表示される識別情報の候補の画像と所定演出を示唆する所定演出示唆画像とが表示される特別演出が実行された後、導出表示される前に所定演出を実行する遊技機において、所定演出を、より遊技者に注目させることができるようにすることを目的とする。
【手続補正４】
【補正対象書類名】明細書
【補正対象項目名】００１１
【補正方法】変更
【補正の内容】
【００１１】
（１）本発明による遊技機は、識別情報（例えば、特別図柄）の可変表示を行い、遊技者にとって有利な有利状態（例えば、大当り遊技状態）に制御する遊技機であって、遊技者に所定の遊技価値を付与する遊技価値付与手段（例えば、遊技制御用マイクロコンピュータ５６０において、ステップＳ７３，Ｓ１７１Ａの処理を実行する部分）を備え、導出表示される識別情報の候補の画像（例えば、左右の停止図柄と同じ図柄と、左右の停止図柄よりも数字が１つ多い図柄：図４０（Ｃ）参照）と所定演出を示唆する所定演出示唆画像（例えば、キャラクタ図柄９ｂ，９ｃ：図４０（Ｃ）参照）とが表示される特別演出を含み（例えば、図４０（Ｃ）に示す演出）、特別演出が実行された後、導出表示される前に所定演出を実行する所定演出実行手段（例えば、演出制御用マイクロコンピュータ１００において、ステップＳ８２５の処理の結果にもとづいてステップＳ８３１〜Ｓ８３３，Ｓ８４１〜Ｓ８４３の処理を実行する部分）をさらに備え、遊技価値付与手段は、所定演出実行手段により所定演出が実行されてから有利状態に制御されたときと、特別演出が実行された後所定演出が実行されずに有利状態に制御されたときとで、異なる割合で遊技価値を付与し（例えば、図４４，図４５に示すように、通常大当りの場合と確変大当りの場合とで所定演出の実行割合を変えることによって実現される）、特別演出において、導出表示される識別情報の候補の画像を複数表示可能であることを特徴とする。
そのような構成によれば、所定演出に対して、より遊技者を注目させることができる。
【手続補正５】
【補正対象書類名】明細書
【補正対象項目名】００１２
【補正方法】変更
【補正の内容】
【００１２】
（２）上記の（１）の遊技機において、所定演出実行手段は、特別演出で表示される所定演出示唆画像の数が多いほど高い割合で所定演出を実行する（図４３〜図４５参照）ように構成されていてもよい。
そのような構成によれば、所定演出が実行される前の特別演出に対する遊技者の
興味を高めることができる。
【手続補正６】
【補正対象書類名】明細書
【補正対象項目名】００１３
【補正方法】変更
【補正の内容】
【００１３】
（３）上記の（１）または（２）の遊技機において、所定演出実行手段は、複数種類の所定演出のいずれかを実行し（図４３（Ａ），図４４（Ａ），図４５（Ａ）参照）、各々の所定演出に対応して複数の所定演出示唆画像（例えば、キャラクタａ〜ｆの組み合わせ）が定められ、所定演出実行手段は、特別演出で表示される所定演出示唆画像の組み合わせに応じて、異なる割合で所定演出を実行する（図４３〜図４５参照）ように構成されていてもよい。
そのような構成によれば、所定演出が実行される前の特別演出に対する遊技者の興味を高めることができる。
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
第１半導体層、活性層、及び第２半導体層を含む発光構造物と、
前記第２半導体層上に配置される拡張電極と、
前記発光構造物上に配置される蛍光体プレートと、
前記蛍光体プレートの上面上に配置され、一部が前記蛍光体プレートを貫通して前記蛍光体プレートの下面に露出する第１電極と、
前記蛍光体プレートの下面と前記拡張電極の上面との間に配置される少なくとも一つの第１ボンディング部と、
前記蛍光体プレートと前記発光構造物との間に配置される少なくとも一つの第２ボンディング部とを含み、
前記少なくとも一つの第１ボンディング部は、前記蛍光体プレートを貫通する前記第１電極の一部と接触し、
前記少なくとも一つの第２ボンディング部の上面は、前記蛍光体プレートの下面に接触し、前記第１電極から離隔する、発光素子。
【請求項２】
前記第１電極は、
前記蛍光体プレートの上面上に配置されるパッド部と、
前記蛍光体プレートを通過し、前記パッド部と前記少なくとも一つの第１ボンディング部とを連結する連結部とを含み、
前記少なくとも一つの第２ボンディング部は前記連結部から離隔する、請求項１に記載の発光素子。
【請求項３】
前記第２ボンディング部は、
前記蛍光体プレートの下面上に配置される第１ボンディング層と、
前記発光構造物上に配置され、前記第１ボンディング層にボンディングされる第２ボンディング層とを含む、請求項２に記載の発光素子。
【請求項４】
前記第１ボンディング部は、
前記連結部と前記拡張電極との間に位置し、前記連結部を前記拡張電極にボンディングさせる第３ボンディング電極を含む、請求項２又は３に記載の発光素子。
【請求項５】
前記第２ボンディング層は前記第１ボンディング層に融着される、請求項３に記載の発光素子。
【請求項６】
前記第１ボンディング層と前記第２ボンディング層との間には、融着された境界面が存在する、請求項５に記載の発光素子。
【請求項７】
前記第２ボンディング層の融点と前記第１ボンディング層の融点は互いに異なる、請求項５又は６に記載の発光素子。
【請求項８】
前記第３ボンディング電極は複数個であり、該複数個の第３ボンディング電極は、前記拡張電極に整列され、互いに離隔し、
前記複数個の第３ボンディング電極のいずれか一つは前記連結部と接触する、請求項４に記載の発光素子。
【請求項９】
前記第３ボンディング電極の融点は、前記拡張電極の融点と互いに異なる、請求項８に記載の発光素子。
【請求項１０】
前記第３ボンディング電極は前記拡張電極に融着される、請求項８又は９に記載の発光素子。
【請求項１１】
前記第３ボンディング電極と前記拡張電極との間には、融着された境界面が存在する、請求項８ないし１０のいずれかに記載の発光素子。
【請求項１２】
前記第３ボンディング電極とボンディングされる前記拡張電極の一部分は、前記拡張電極の残りの部分と幅が互いに異なる、請求項８ないし１１のいずれかに記載の発光素子。
【請求項１３】
前記第３ボンディング電極の幅は、前記拡張電極の幅よりも小さいか又は同一である、請求項８ないし１２のいずれかに記載の発光素子。
【請求項１４】
前記蛍光体プレートと前記発光構造物との間にはエアギャップ（ａｉｒ  ｇａｐ）が存在する、請求項１に記載の発光素子。
【請求項１５】
前記パッド部は前記蛍光体プレートの一側に位置する、請求項２に記載の発光素子。
【請求項１６】
前記拡張電極は、
前記第３ボンディング電極がボンディングされるボンディング領域と、
前記ボンディング領域から拡張される枝電極とを含む、請求項８に記載の発光素子。
【請求項１７】
パッケージボディーと、
前記パッケージボディーに配置される第１リードフレーム及び第２リードフレームと、
前記第２リードフレーム上に配置され、請求項１乃至１６のいずれかに記載の発光素子と、
前記発光素子を包囲する樹脂層と、を含む、発光素子パッケージ。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
基板を剥離乾燥させるための装置であって、
基板を受け入れるためのチャンバと、
前記チャンバ内で前記基板を支えてクランプするためのチャックと、
前記基板の温度を制御するための温度コントローラであって、前記基板を冷却することができる温度コントローラと、
前記チャンバと流体接続している真空ポンプと、
前記チャックを少なくとも９０度傾動させることができる傾動メカニズムと、
を備える装置。
【請求項２】
請求項１に記載の装置であって、更に、
制御された雰囲気を前記チャンバ内に流入させるための、前記チャンバと流体接続している雰囲気制御システムを備える装置。
【請求項３】
請求項２に記載の装置であって、
前記雰囲気制御システムは、乾燥したガスを前記チャンバ内に提供するためのガス源を含む、装置。
【請求項４】
請求項１〜３のいずれか一項に記載の装置であって、
前記チャックは、静電チャックである、装置。
【請求項５】
請求項４に記載の装置であって、更に、
前記基板をクランプするための電圧を前記静電チャックに提供するための電圧源を備える装置。
【請求項６】
請求項１〜５のいずれか一項に記載の装置であって、更に、
ウェットな乾燥化学剤を伴う基板を移送して前記チャンバに入れ、前記チャンバを密閉するためのウェット移送ステーションを備え、
前記温度コントローラは、前記乾燥化学剤を凍結させる温度に前記基板を冷却することができる、装置。
【請求項７】
請求項１〜６のいずれか一項に記載の装置であって、
前記チャックは、溝を含む、装置。
【請求項８】
請求項１〜７のいずれか一項に記載の装置であって、
前記温度コントローラは、前記チャックに埋め込まれた温度制御素子を含む、装置。
【請求項９】
請求項８に記載の装置であって、
前記温度制御素子は、少なくとも０℃の温度に前記基板を冷却すること及び少なくとも２０℃の温度に前記基板を加熱することができる、装置。
【請求項１０】
請求項８〜９のいずれか一項に記載の装置であって、
前記温度制御素子は、前記チャックに埋め込まれた電熱加熱・冷却素子を含む、装置。
【請求項１１】
方法であって、
乾燥化学剤で濡れた基板を、乾燥したチャンバ内でチャックの上に置くことと、
前記基板上で前記乾燥化学剤を固形乾燥化学剤に凍結させることと、
前記固形乾燥化学剤を前記基板から剥離させることと、
前記剥離された固形乾燥化学剤を前記基板から除去することと、
を備える方法。
【請求項１２】
請求項１１に記載の方法であって、
前記固形乾燥化学剤を前記基板から剥離させることは、前記チャンバ内の圧力を引き下げることを含む、方法。
【請求項１３】
請求項１１〜１２のいずれか一項に記載の方法であって、
前記乾燥化学剤を凍結させることは、
前記基板を前記チャックに固定することと、
前記乾燥化学剤を凍結させるために、前記前記基板の裏側を前記乾燥化学剤の凝固点未満に冷却することと、
を含む、方法。
【請求項１４】
請求項１１〜１３のいずれか一項に記載の方法であって、
前記固形乾燥化学剤を前記基板から除去することは、前記基板を少なくとも９０度傾動させることを含む、方法。
【請求項１５】
請求項１１〜１４のいずれか一項に記載の方法であって、更に、
前記基板上に特徴を形成することと、
前記基板上の前記特徴をウェット処理することと、
を備える方法。
【請求項１６】
請求項１１〜１５のいずれか一項に記載の方法であって、
前記乾燥化学剤は、第３級ブタノールを含む、方法。
【請求項１７】
請求項１１〜１６のいずれか一項に記載の方法であって、更に、
前記チャンバ内の雰囲気から水分を除去することを備える方法。
【請求項１８】
請求項１１〜１７のいずれか一項に記載の方法であって、更に、
前記チャック上に前記基板を置く前に、前記チャックを前記乾燥化学剤の凝固点よりも高い温度に加熱することを備える方法。
【請求項１９】
請求項１１〜１８のいずれか一項に記載の方法であって、更に、
前記チャック上の前記基板から流れる液体乾燥化学剤を捕え、前記液体乾燥化学剤を前記基板と前記チャックとの接触地点から離れるように方向づけることを備える方法。
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
陽極と、陰極と、前記陽極と、前記陰極との間に挟まれたＥＬ層とを有し、
前記ＥＬ層は、少なくとも前記陽極側から第１の層と、第２の層と、発光層とをこの順で有し、
第２の層は発光層と接しており、前記第１の層に含まれるハロゲン化物は前記第２の層に含まれるハロゲン化物よりも多いことを特徴とする発光素子。
【請求項２】
陽極と、陰極と、前記陽極と、前記陰極との間に挟まれたＥＬ層とを有し、
前記ＥＬ層は、少なくとも前記陽極側から第１の層と、第２の層と、発光層とをこの順で有し、
第２の層は発光層と接しており、前記第１の層に含まれるハロゲン元素は前記第２の層に含まれるハロゲン元素よりも多いことを特徴とする発光素子。
【請求項３】
陽極と、陰極と、前記陽極と、前記陰極との間に挟まれたＥＬ層とを有し、
前記ＥＬ層は、少なくとも前記陽極側から第１の層と、第２の層と、発光層とをこの順で有し、
第２の層は発光層と接しており、前記第２の層に含まれるハロゲン元素はＤ−ＳＩＭＳでの二次イオン強度比が炭素の強度の１／１００００未満であり、
前記第１の層に含まれるハロゲン元素は前記第２の層に含まれるハロゲン元素よりも多いことを特徴とする発光素子。
【請求項４】
請求項１乃至請求項３のいずれか一項において、
前記第１の層に含まれるハロゲン元素がＤ−ＳＩＭＳでの二次イオン強度比が炭素の強度の１／１０００００以上１／１００以下であることを特徴とする発光素子。
【請求項５】
請求項１乃至請求項４のいずれか一項において、
前記発光層は正孔輸送性よりも電子輸送性の高い層であることを特徴とする発光素子。
【請求項６】
請求項１乃至請求項５のいずれか一項において、
前記第１の層は、正孔輸送性を有する有機化合物と、前記有機化合物にアクセプタ性を示す物質との混合膜であることを特徴とする発光素子。
【請求項７】
請求項６において、
前記有機化合物はジベンゾチオフェン骨格またはジベンゾフラン骨格を有する化合物であることを特徴とする発光素子。
【請求項８】
請求項６又は請求項７において、
前記有機化合物は４，４’，４’’−（１，３，５−ベンゼントリイル）トリ（ジベンゾチオフェン）または４，４’，４’’−（１，３，５−ベンゼントリイル）トリ（ジベンゾフラン）であることを特徴とする発光素子。
【請求項９】
請求項１乃至請求項８のいずれか一項において、
前記第１の層は正孔注入層であり、前記第２の層は正孔輸送層であることを特徴とする発光素子。
【請求項１０】
請求項２乃至請求項９のいずれか一項において、
前記ハロゲン元素とは臭素若しくは塩素又はその両方であることを特徴とする発光素子。
【請求項１１】
請求項１乃至請求項１０において、
前記発光層のホスト材料がアントラセン骨格を有する物質であることを特徴とする発光素子。
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
発光デバイスを作る方法であって、
−ｃ面の約５度以内の結晶学的配向を有する第１基板であって、該第１基板は１０７ｃｍ−２を下回る転移密度を有するウルツ型ＧａＮの上表面を有する、第１基板を提供するステップ；
ハイドライド気相成長法によって該上表面上に直接、選択されたＩｎＮ組成を有するＩｎＧａＮエピタキシャル層を成長させることによってＩｎＧａＮテンプレートを作成するステップであって、前記ＩｎＧａＮエピタキシャル層は４μｍを超える厚さを有し、及び、モル分率０．５％を超えるＩｎＮを含み、該ＩｎＧａＮエピタキシャル層は歪みが緩和されており、特定のインジウム含有窒化物組成について、各々の平衡格子定数の０．１％以内のａ軸格子定数及びｃ軸格子定数を有する、ステップ；及び
該ＩｎＧａＮテンプレート及び該ＩｎＧａＮテンプレートの誘導物から選択される一の第２基板の上に光電子デバイス構造を成長させるステップ；
を含む方法。
【請求項２】
該選択されたＩｎＮ組成を有する該ＩｎＧａＮ層を該第１基板から分離して、独立したＩｎＧａＮ結晶を形成するステップをさらに含む、請求項１記載の方法。
【請求項３】
該独立したＩｎＧａＮ結晶をバルク結晶成長の種として用いるステップをさらに含む、請求項２記載の方法。
【請求項４】
該ＩｎＧａＮエピタキシャル層が、逆格子空間マップ内の単一の（−１−１４）Ｘ線回折ピークにより特徴付けられる、請求項１記載の方法。
【請求項５】
該ＩｎＧａＮテンプレートの該誘導物が、該ＩｎＧａＮテンプレートから形成される、独立したＩｎＧａＮ結晶又はウェーハである、請求項１記載の方法。
【請求項６】
該ＩｎＧａＮテンプレートの該誘導物が、該ＩｎＧａＮテンプレート又はその一部がバルク結晶成長の種として使用されるプロセスから形成される、独立したＩｎＧａＮ結晶又はウェーハから選択される、請求項１記載の方法。
【請求項７】
前記第１基板が実質的にバルクＧａＮからなる、請求項１記載の方法。
【請求項８】
発光デバイスを作る方法であって、
サファイア、炭化ケイ素、シリコン又はＳｃＡｌＭｇＯ４の少なくとも一つを含み及び上表面を有する第１基板を提供するステップ；
ハイドライド気相成長法によって該上表面上に直接、−ｃ面の約５度以内の結晶学的配向を有し、及び選択されたＩｎＮ組成を有するＩｎＧａＮエピタキシャル層を成長させることによってＩｎＧａＮテンプレートを作成するステップであって、前記ＩｎＧａＮエピタキシャル層は４μｍを超える厚さを有し、及び、モル分率０．５％を超えるＩｎＮを含み、該ＩｎＧａＮエピタキシャル層は歪みが緩和されており、特定のインジウム含有窒化物組成について、各々の平衡格子定数の０．１％以内のａ軸格子定数及びｃ軸格子定数を有する、ステップ；及び
該ＩｎＧａＮテンプレート及び該ＩｎＧａＮテンプレートの誘導物から選択される一の第２基板の上に光電子デバイス構造を成長させるステップ；
を含む方法。
【請求項９】
該選択されたＩｎＮ組成を有する該ＩｎＧａＮ層を該第１基板から分離して、独立したＩｎＧａＮ結晶を形成するステップをさらに含む、請求項８記載の方法。
【請求項１０】
該ＩｎＧａＮエピタキシャル層が、逆格子空間マップ内の単一の（−１−１４）Ｘ線回折ピークにより特徴付けられる、請求項８記載の方法。
【請求項１１】
該ＩｎＧａＮテンプレートの該誘導物が、該ＩｎＧａＮテンプレートから形成される、独立したＩｎＧａＮ結晶又はウェーハである、請求項８記載の方法。
【請求項１２】
該ＩｎＧａＮテンプレートの該誘導物が、該ＩｎＧａＮテンプレート又はその一部がバルク結晶成長の種として使用されるプロセスから形成される、独立したＩｎＧａＮ結晶又はウェーハから選択される、請求項８記載の方法。
【請求項１３】
該ハイドライド気相成長法が、ＧａＣｌ３及びＩｎＣｌ３を前駆体として使用することを含む、請求項１記載の方法。
【請求項１４】
該ハイドライド気相成長法が、ＧａＣｌ３及びＩｎＣｌ３を前駆体として使用することを含む、請求項８記載の方法。
【請求項１５】
該上表面がウルツ型ＧａＮを含む、請求項８記載の方法。
【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
展示物を展示するための装置において、
前記装置は展示物を照射するものであって、前記装置から発せられ、光束で規格化された光のスペクトルにおいて６００ｎｍ以上の波長であって７８０ｎｍ以下の波長である光のエネルギ面積の値が、光束で規格化された演色性評価用基準光のスペクトルにおいて６００ｎｍ以上の波長であって７８０ｎｍ以下の波長である光のエネルギ面積の値の８５％以上であって１５０％以下であり、かつ、
当該装置から発せられ、光束で規格化された光のスペクトルにおける５００ｎｍの波長の光の強度の値が、光束で規格化された演色性評価用基準光のスペクトルにおける５００ｎｍの波長の光の強度の１１０％以上であって２００％以下であり、
前記装置は、半導体発光素子と、
前記半導体発光素子を励起源として発光する蛍光体とを備え、
前記蛍光体は、少なくとも緑色蛍光体および赤色蛍光体を含むことを特徴とする装置。
【請求項２】
前記赤色蛍光体は、狭帯域赤色蛍光体である請求項１に記載の装置。
【請求項３】
前記赤色蛍光体の発光ピーク波長は、６４０ｎｍ以上であって７００ｎｍ以下であることを特徴とする請求項１又は２に記載の装置。
【請求項４】
相関色温度が、２５００Ｋ以上であって７０００Ｋ以下である光を発することを特徴とする請求項１乃至３のいずれか１項に記載の装置。
【請求項５】
ＣＩＥ（１９３１）ＸＹＺ表色系のＸＹ色度図における色度座標が、黒体輻射軌跡曲線からの偏差ｄｕｖの値が−０．０３以上であって０．０３以下である光を発することを特徴とする請求項１乃至４のいずれか１項に記載の装置。
【請求項６】
ＣＩＥ（１９３１）ＸＹＺ表色系のＸＹ色度図における色度座標が、黒体輻射軌跡曲線からの偏差ｄｕｖの値が−０．００５以下である光を発することを特徴とする請求項１乃至５のいずれか１項に記載の装置。
【請求項７】
前記蛍光体は、青色蛍光体を含むことを特徴とする請求項１乃至６のいずれか１項に記
載の装置。
【請求項８】
前記青色蛍光体の発光ピーク波長は、４４０ｎｍ以上であって５００ｎｍ以下であることを特徴とする請求項７に記載の装置。
【請求項９】
前記青色蛍光体の半値幅は、２０ｎｍ以上であって９０ｎｍ以下であることを特徴とする請求項７又は８に記載の装置。
【請求項１０】
前記青色蛍光体は、（Ｓｒ，Ｂａ，Ｃａ）5（ＰＯ4）3Ｃｌ：ＥｕまたはＢａＭｇＡｌ10Ｏ17：Ｅｕであることを特徴とする請求項７乃至９のいずれか１項に記載の装置。
【請求項１１】
前記緑色蛍光体の発光ピーク波長は、５１０ｎｍ以上であって５５０ｎｍ以下であることを特徴とする請求項１乃至１０のいずれか１項に記載の装置。
【請求項１２】
前記緑色蛍光体の半値幅は、６０ｎｍ以上であって１４０ｎｍ以下であることを特徴とする請求項１乃至１１のいずれか１項に記載の装置。
【請求項１３】
前記緑色蛍光体は、（Ｓｒ，Ｂａ）2ＳｉＯ4：Ｅｕ、βサイアロンおよび（Ｂａ，Ｓｒ）3Ｓｉ6Ｏ12Ｎ2：Ｅｕからなる群から選ばれる少なくとも１種であることを特徴とする請求項１乃至１２のいずれか１項に記載の装置。
【請求項１４】
前記赤色蛍光体は、（Ｓｒ，Ｃａ）ＡｌＳｉ（Ｎ，Ｏ）3であることを特徴とする請求項１乃至１３のいずれか１項に記載の装置。
【請求項１５】
前記装置が発する光は、特殊演色評価数Ｒ９の試験色についてのＣ*ａｂの値が、演色性評価用基準光に基づく特殊演色評価数Ｒ９の試験色についてのＣ*ａｂの値の１０５％以上の値であることを特徴とする請求項１乃至１４のいずれか１項に記載の装置。
【請求項１６】
前記装置が発する光は、特殊演色評価数Ｒ１１の試験色についてのＣ*ａｂの値が、演色性評価用基準光に基づく特殊演色評価数Ｒ１１の試験色についてのＣ*ａｂの値の１１０％以上の値であることを特徴とする請求項１乃至１５のいずれか１項に記載の装置。
【請求項１７】
前記装置が発する光は、特殊演色評価数Ｒ１２の試験色についてのＣ*ａｂの値が、演色性評価用基準光に基づく特殊演色評価数Ｒ１２の試験色についてのＣ*ａｂの値の１０３％以上の値であることを特徴とする請求項１乃至１６のいずれか１項に記載の装置。
【請求項１８】
肉照射用である、請求項１乃至１７のいずれか１項に記載の装置。
【請求項１９】
野菜照射用である、請求項１乃至１７のいずれか１項に記載の装置。
【請求項２０】
鮮魚照射用である、請求項１乃至１７のいずれか１項に記載の装置。
【請求項２１】
一般用である、請求項１乃至１７のいずれか１項に記載の装置。
【請求項２２】
第１の展示物を展示するための装置としての請求項１乃至１７のいずれか１項に記載の装置と、特殊演色評価数Ｒ１〜Ｒ１４のそれぞれの試験色についてのＣ*ａｂの値の平均値と前記第１の展示物を展示するための装置における当該平均値との差が０．５以上である光を出射する第２の展示物を展示するための装置を備えたことを特徴とする展示物を展示するためのシステム。
【請求項２３】
第１の展示物を展示するための装置としての請求項１乃至１７のいずれか１項に記載の装置と、特殊演色評価数Ｒ９の試験色についてのＣ*ａｂの値と前記第１の展示物を展示するための装置における当該値との差が０．５以上である光を出射する第２の展示物を展示するための装置とを備えたことを特徴とする展示物を展示するためのシステム。
【請求項２４】
第１の展示物を展示するための装置としての請求項１乃至１７のいずれか１項に記載の装置と、特殊演色評価数Ｒ１１の試験色についてのＣ*ａｂの値と前記第１の展示物を展示するための装置における当該値との差が０．５以上である光を出射する第２の展示物を展示するための装置とを備えたことを特徴とする展示物を展示するためのシステム。
【請求項２５】
第１の展示物を展示するための装置としての請求項１乃至１７のいずれか１項に記載の装置と、特殊演色評価数Ｒ１２の試験色についてのＣ*ａｂの値と前記第１の展示物を展示するための装置における当該値との差が０．５以上である光を出射する第２の展示物を展示するための装置とを備えたことを特徴とする展示物を展示するためのシステム。
【請求項２６】
第１の展示物を展示するための装置としての請求項１乃至１７のいずれか１項に記載の装置と、前記第１の展示物を展示するための装置が発する光の相関色温度とは異なる相関色温度の光を出射する第２の展示物を展示するための装置とを備えたことを特徴とする展示物を展示するためのシステム。
【請求項２７】
第１の展示物を展示するための装置としての請求項１乃至１７のいずれか１項に記載の装置と、平均演色評価数Ｒａの値が８０以上である光を出射する第２の展示物を展示するための装置を備えたことを特徴とする展示物を展示するためのシステム。
【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
コア部と、コア部の一部の外側に配されるコイルとを備え、コイルの励磁によりコア部を通る閉磁路が形成されるリアクトルであって、
前記コア部は、前記コイルに通電する電流が０のときの比透磁率が５〜１５の材料で、かつ、全体が均一な透磁率の材料から実質的に構成され、
前記コア部を構成する材料が、軟磁性粉末と樹脂との成形硬化体であり、
前記軟磁性粉末が、Ｆｅ、Ｃｏ、Ｎｉ、Ｆｅ基合金から選択される少なくとも一種であり、
ギャップを実質的に有しないリアクトル。
【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
荷電粒子を加速して荷電粒子線を出射する加速器と、
スキャニング法によって前記荷電粒子線を被照射体へ照射する照射部と、
前記加速器から出射された前記荷電粒子線を前記照射部へ輸送する輸送ラインと、
前記荷電粒子線のエネルギーを調整するエネルギー調整部と、
前記照射部又は前記輸送ラインに設けられた電磁石と、
前記電磁石に接続された電磁石電源と、
制御部と、を備え、
前記電磁石電源と前記電磁石との間には半導体が直列に接続され、
前記制御部は、前記荷電粒子線を前記被照射体へ照射する際に前記荷電粒子線が到達する深さである飛程を調整するときに、前記エネルギー調整部を制御することによって前記荷電粒子線のエネルギーを低下させると共に、前記半導体の抵抗を上げる、荷電粒子線治療装置。
【請求項２】
前記エネルギー調整部は、前記加速器と前記照射部との間に設けられ、
前記電磁石には、少なくとも前記輸送ラインに配置される収束電磁石又は偏向電磁石が含まれる、請求項１に記載の荷電粒子線治療装置。
【請求項３】
前記加速器はシンクロトロンであり、
前記エネルギー調整部は、前記加速器内に設けられ、
前記電磁石には、少なくとも前記輸送ラインに配置される収束電磁石又は偏向電磁石が含まれる、請求項１に記載の荷電粒子線治療装置。
【請求項４】
荷電粒子を加速して荷電粒子線を出射する加速器と、
スキャニング法を用いて前記荷電粒子線を被照射体へ照射する照射部と、
前記加速器から出射された前記荷電粒子線を前記照射部へ輸送する輸送ラインと、
前記荷電粒子線のエネルギーを調整するエネルギー調整部と、
前記照射部又は前記輸送ラインに設けられた電磁石と、
前記電磁石に接続された電磁石電源と、を備える荷電粒子線治療装置を用いて、前記照射部が照射する前記荷電粒子線の飛程を調整する荷電粒子線の飛程調整方法であって、
前記荷電粒子線を前記被照射体へ照射する際に前記荷電粒子線が到達する深さである前記飛程を調整するときに、
前記エネルギー調整部を制御することによって前記荷電粒子線のエネルギーを低下させると共に、前記電磁石電源と前記電磁石との間に直列に接続された半導体に抵抗を上げる、荷電粒子線の飛程調整方法。
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
プレートが有する穴に植物を移植する移植サポート装置であって、
前記穴の上部に位置するとき開いた状態で、前記穴の下部に位置するとき閉じた状態である、前記植物を前記穴に誘い込む誘い部材と、
前記穴の上部から前記穴の下部へと前記誘い部材を移動させる駆動部と、
前記駆動部を制御する制御部と、
を備え、
前記制御部は、
前記穴の上部の開いた状態の前記誘い部材に前記植物が配置された後、前記駆動部によって前記誘い部材を前記穴の下部に移動させる、
移植サポート装置。
【請求項２】
前記穴の下部に前記誘い部材の開閉を規制する略筒状の規制部をさらに備え、
前記誘い部材は、前記穴の上部に位置するとき開いた状態になる付勢力を有し、前記穴の下部に位置するとき前記規制部で閉じた状態になる、
請求項１に記載の移植サポート装置。
【請求項３】
前記植物は、略四角柱のスポンジ培地に植えられており、
前記穴は、略円筒状で、
前記スポンジ培地を前記穴に移植する、
請求項１又は２に記載の移植サポート装置。
【請求項４】
前記穴の下部に前記植物が移植するときに前記植物の位置を規制するストッパーピンをさらに備える、
請求項１乃至３のいずれかに記載の移植サポート装置。
【手続補正２】
【補正対象書類名】明細書
【補正対象項目名】０００５
【補正方法】変更
【補正の内容】
【０００５】
本開示における移植サポート装置は、プレートが有する穴に植物を植移植する移植サポート装置であって、前記穴の上部に位置するとき開いた状態で、前記穴の下部に位置するとき閉じた状態である、前記植物を前記穴に誘い込む誘い部材と、前記誘い部材から前記穴の下部へと前記誘い部材を移動させる駆動部と、前記駆動部を制御する制御部と、を備える。前記制御部は、前記穴の上部の開いた状態の前記誘い部材に前記植物が配置された後、前記駆動部によって前記誘い部材を前記穴の下部に移動させる。
【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
端末装置からウェブサーバに対して送信されるデータ取得要求を取得する取得手段と、
前記取得手段により取得されたデータ取得要求の中継を許可するか否かを判断する中継制御手段と、
前記取得手段により取得されたデータ取得要求に、当該データ取得要求の参照元を示す情報が含まれるか否かを判断する参照元判断手段と、
前記中継制御手段により中継を許可しないと判断されたデータ取得要求に対する前記参照元判断手段による判断結果に応じて、当該データ取得要求に係る情報を記録するか否かを決定する決定手段と、
前記決定手段により記録すると決定された場合、当該データ取得要求に係る情報を記録する記録手段と、
を備えることを特徴とする情報処理装置。
【請求項２】
前記決定手段は、さらに、
前記データ取得要求が、前記中継制御手段により中継を許可しないと判断され、かつ前記参照元判断手段により参照元を示す情報が含まれないと判断された場合、当該データ取得要求に係る情報を記録すると決定することを特徴とする請求項１に記載の情報処理装置。
【請求項３】
前記決定手段は、さらに、
前記データ取得要求が、前記中継制御手段により中継を許可しないと判断され、かつ前記参照元判断手段により参照元を示す情報が含まれていると判断された場合、当該データ取得要求に係る情報を記録しないと決定することを特徴とする請求項１または２に記載の情報処理装置。
【請求項４】
前記データ取得要求が送信された時刻と、当該データ取得要求の参照元に対してデータ取得要求が送信された時刻との時間差を算出する時間差算出手段をさらに備え、
前記決定手段は、さらに、
前記データ取得要求が、前記中継制御手段により中継を許可しないと判断され、かつ前記参照元判断手段により参照元を示す情報が含まれていると判断され、かつ前記時間差算出手段により算出された時間差が所定の時間差を超える場合、当該データ取得要求に係る情報を記録すると決定することを特徴とする請求項１乃至３のいずれか１項に記載の情報処理装置。
【請求項５】
前記所定の時間差の設定を受け付ける時間差設定受付手段をさらに備え、
前記決定手段は、さらに、
前記データ取得要求が、前記中継制御手段により中継を許可しないと判断され、かつ前記参照元判断手段により参照元を示す情報が含まれていると判断され、かつ前記時間差算出手段により算出された時間差が、前記時間差設定受付手段により設定を受け付けた時間差を超える場合、当該データ取得要求に係る情報を記録すると決定することを特徴とする請求項４に記載の情報処理装置。
【請求項６】
情報処理装置における情報処理方法であって、
前記情報処理装置の取得手段が、端末装置からウェブサーバに対して送信されるデータ取得要求を取得する取得工程と、
前記情報処理装置の中継制御手段が、前記取得工程により取得されたデータ取得要求の中継を許可するか否かを判断する中継制御工程と、
前記情報処理装置の参照元判断手段が、前記取得工程により取得されたデータ取得要求に、当該データ取得要求の参照元を示す情報が含まれるか否かを判断する参照元判断工程と、
前記情報処理装置の決定手段が、前記中継制御工程により中継を許可しないと判断されたデータ取得要求に対する前記参照元判断工程による判断結果に応じて、当該データ取得要求に係る情報を記録するか否かを決定する決定工程と、
前記情報処理装置の記録手段が、前記決定工程により記録すると決定された場合、当該データ取得要求に係る情報を記録する記録工程と、
を備えることを特徴とする情報処理方法。
【請求項７】
情報処理装置において実行可能なプログラムであって、
前記情報処理装置を、
端末装置からウェブサーバに対して送信されるデータ取得要求を取得する取得手段と、
前記取得手段により取得されたデータ取得要求の中継を許可するか否かを判断する中継制御手段と、
前記取得手段により取得されたデータ取得要求に、当該データ取得要求の参照元を示す情報が含まれるか否かを判断する参照元判断手段と、
前記中継制御手段により中継を許可しないと判断されたデータ取得要求に対する前記参照元判断手段による判断結果に応じて、当該データ取得要求に係る情報を記録するか否かを決定する決定手段と、
前記決定手段により記録すると決定された場合、当該データ取得要求に係る情報を記録する記録手段として機能させることを特徴とするプログラム。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
遊技に必要な電力の供給を行う電源手段と、前記電源手段からの電力の供給に係る電源制御を実行する電源制御手段と、前記遊技を司る主制御手段と、前記主制御手段と通信可能に接続され、前記主制御手段からの演出に係る演出制御指令に応じた制御処理を行う演出制御手段と、を備え、
前記主制御手段は、
前記電源手段からの電力の供給開始に伴い制御開始処理を実行し、前記制御開始処理に対する所定周期の割込みによって遊技進行のための遊技進行割込み処理を実行し、遊技領域に発射された遊技媒体が前記遊技領域を流下して所定の始動領域を通過したことに基づき、前記遊技進行割込み処理において大当りとなるか否かの大当り抽選を行い、前記大当り抽選に当せんした場合には、所定回数の単位遊技を繰り返す特別遊技を実行するぱちんこ遊技機であって、
前記電源制御手段は、
前記電源手段からの電力が所定値以下となった場合に、電源断となることを示す電源断情報を前記主制御手段に対して出力し、
前記主制御手段は、
前記電源断となる場合に所定の記憶領域にデータバックアップを行うことが可能であり、
前記電源手段による電力供給開始の際に所定の初期化条件が成立しているか否かを判定し、前記初期化条件が成立していることを判定した場合に前記記憶領域の初期化を行い、
前記主制御手段には、前記大当り抽選の結果を含む複数の情報の表示が可能な主制御表示手段が接続され、
前記主制御表示手段は、
前記大当り抽選の結果を表す特別図柄の変動表示及び停止表示を行うことが可能な特別図柄表示手段を備え、
前記特別図柄表示手段は、
個々に点灯及び消灯が可能な複数の表示要素を有し、
複数回の前記遊技進行割込み処理以上の期間毎に、前記変動表示が行われていることを示すため、前記複数の表示要素の点灯態様を予め定められた切り替えパターンで切り替える変動中表示を行う変動中表示手段と、
前記停止表示が行われていることを前記複数の表示要素のうち少なくとも１つ以上の表示要素を点灯状態とすることで、前記大当り抽選の結果を示す停止中表示手段と、を備え、
前記主制御手段は、
前記変動表示の際には前記特別図柄表示手段の前記複数の表示要素の表示の切り替えを前記切替パターンを少なくとも二回以上繰り返すことにより変動表示中であることを表示し、前記変動表示が開始される際に一番初めに前記表示要素が点灯する点灯パターンは、前記停止表示の際に前記大当り抽選の結果を表示するために点灯した表示要素の組み合わせとは異なることを特徴とするぱちんこ遊技機。
【手続補正２】
【補正対象書類名】明細書
【補正対象項目名】０００５
【補正方法】変更
【補正の内容】
【０００５】
上記課題を解決するために本発明は、遊技に必要な電力の供給を行う電源手段（電源基板など）と、前記電源手段からの電力の供給に係る電源制御を実行する電源制御手段（停電監視回路部など）と、前記遊技を司る主制御手段（メイン基板など）と、前記主制御手段と通信可能に接続され、前記主制御手段からの演出に係る演出制御指令に応じた制御処理を行う演出制御手段（サブメイン基板、サブサブ基板など）と、を備え、
前記主制御手段は、
前記電源手段からの電力の供給開始に伴い制御開始処理を実行し、前記制御開始処理に対する所定周期の割込みによって遊技進行のための遊技進行割込み処理を実行し、遊技領域に発射された遊技媒体が前記遊技領域を流下して所定の始動領域（作動口、第１始動入賞口、第２始動入賞口など）を通過したことに基づき、前記遊技進行割込み処理において大当りとなるか否かの大当り抽選を行い、
前記大当り抽選に当せんした場合には、所定回数の単位遊技を繰り返す特別遊技を実行するぱちんこ遊技機であって、
前記電源制御手段は、
前記電源手段からの電力が所定値以下となった場合に、電源断となることを示す電源断情報を前記主制御手段に対して出力し、
前記主制御手段は、
前記電源断となる場合に所定の記憶領域にデータバックアップを行うことが可能であり、
前記電源手段による電力供給開始の際に所定の初期化条件（初期化スイッチの操作があったことなど）が成立しているか否かを判定し、前記初期化条件が成立していることを判定した場合に前記記憶領域の初期化（ＲＷＭクリアなど）を行い、
前記主制御手段には、前記大当り抽選の結果を含む複数の情報の表示が可能な主制御表示手段（主制御表示装置など）が接続され、
前記主制御表示手段は、
前記大当り抽選の結果を表す特別図柄の変動表示及び停止表示を行うことが可能な特別図柄表示手段を備え、
前記特別図柄表示手段は、
個々に点灯及び消灯が可能な複数の表示要素を有し、
複数回の前記遊技進行割込み処理以上の期間（１００ｍｓなど）毎に、前記変動表示が行われていることを示すため、前記複数の表示要素の点灯態様を予め定められた切り替えパターン（点灯及び消灯など）で切り替える変動中表示を行う変動中表示手段と、
前記停止表示が行われていることを前記複数の表示要素のうち少なくとも１つ以上の表示要素を点灯状態とすることで、前記大当り抽選の結果を示す停止中表示手段と、を備え、
前記主制御手段は、
前記変動表示の際には前記特別図柄表示手段の前記複数の表示要素の表示の切り替えを前記切替パターンを少なくとも二回以上繰り返すことにより変動表示中であることを表示し、前記変動表示が開始される際に一番初めに前記表示要素が点灯する点灯パターンは、前記停止表示の際に前記大当り抽選の結果を表示するために点灯した表示要素の組み合わせとは異なることを特徴とするぱちんこ遊技機である。
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
波線状パターンを有し且つ軸線方向に並んで配置される複数の環状体と、軸線周りに延び且つ隣り合う前記環状体を接続する複数の接続要素と、を備える柔軟性ステントであって、
前記波線状パターンは、２つの脚部を頂部で連結した略Ｖ字形状の複数のＶ字要素が、前記頂部を軸線方向において交互に逆に向けた状態で接続されて、形成されており、
前記接続要素の一方の端部が屈曲する方向と前記接続要素の他方の端部が屈曲する方向とは、逆であり、
前記接続要素の端部は、隣り合う前記環状体における前記Ｖ字要素の前記頂部以外の部分に、前記脚部が延びる方向とは異なる方向に延びて、接続されており、
軸線方向に対して垂直な径方向に視たときに、前記接続要素の中間部が延びる方向は、軸線方向に対して傾斜しており、
２つの前記脚部のうちの一方は、前記接続要素の前記中間部に沿って延びており、
前記Ｖ字要素の２つの前記脚部の両方は、軸線方向に平行で且つ前記頂部を通る基準線に対して、同じ側に配置されている、柔軟性ステント。
【請求項２】
前記接続要素の前記端部は、前記頂部が軸線方向において同じ方向を向く前記Ｖ字要素それぞれにおける前記脚部に、接続されている、請求項１に記載の柔軟性ステント。
【請求項３】
前記Ｖ字要素は、柔軟性ステントの仮想的な外周曲面の形状に沿って、前記Ｖ字要素の厚さ方向に丸みを帯びている、請求項１又は２に記載の柔軟性ステント。
【請求項４】
前記接続要素の前記端部が延びる方向と前記接続要素の前記中間部が延びる方向とは、略直交している、請求項１〜３のいずれかに記載の柔軟性ステント。
【請求項５】
前記接続要素の中間部及び前記Ｖ字要素の前記脚部は、直線状であり、前記接続要素の前記中間部に沿って延びている前記脚部は、前記接続要素の前記中間部に対して平行である、請求項１〜４のいずれかに記載の柔軟性ステント。
【請求項６】
前記接続要素の端部は、前記環状体の環方向に隣り合う前記Ｖ字要素同士の接続部近傍に、接続されている、請求項１〜５のいずれかに記載の柔軟性ステント。
【請求項７】
前記Ｖ字要素の２つの前記脚部は、長い長脚部と短い短脚部とからなり、前記環状体の環方向に隣り合う前記Ｖ字要素同士は、前記長脚部と前記短脚部とが隣り合うように、接続されている、請求項１〜６のいずれかに記載の柔軟性ステント。
【請求項８】
前記接続要素の前記端部は、前記Ｖ字要素の前記長脚部に接続されている、請求項７に記載の柔軟性ステント。
【請求項９】
前記接続要素の端部は、前記Ｖ字要素の前記長脚部における前記頂部とは反対側の部分であって前記短脚部よりも長い部分に、接続されている、請求項７又は８に記載の柔軟性ステント。
【請求項１０】
軸線方向に対して、前記Ｖ字要素の前記長脚部が傾斜する角度は、５０度〜８０度であり、前記Ｖ字要素の前記短脚部が傾斜する角度は、５度〜３０度である、請求項７〜９のいずれかに記載の柔軟性ステント。
【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられた始動入賞口と、
前記始動入賞口への入球を契機として当否抽選を実行する当否抽選手段と、
前記当否抽選の結果が当りとなった場合に、通常遊技より遊技者に有利な状態である特別遊技を実行する特別遊技制御手段と、
前記当否抽選の結果を示すための図柄が変動表示される図柄表示装置と、
前記図柄の変動表示における変動パターンを決定するための選択基準を参照して、前記当否抽選の結果に応じて変動パターンを決定する変動パターン決定手段と、
前記変動パターン決定手段により決定された変動パターンにしたがって、前記図柄を前記図柄表示装置に変動表示させる図柄表示制御手段と、
前記当否抽選の結果を示すための演出画像が表示される演出表示装置と、
複数の演出パターンの中から前記変動パターン決定手段により決定された変動パターンに対応する演出パターンを選択する演出決定手段と、
前記演出決定手段により選択された演出パターンの演出画像を前記演出表示装置に表示させる演出制御手段と、
を備え、
前記演出表示装置に表示される演出パターンを、ある演出パターンから前記ある演出パターンとは異なる特定の演出パターンに切り替えることが可能であり、
前記特定の演出パターンに切り替えるタイミングは複数設定され、
前記特定の演出パターンに切り替えるタイミングに応じて、前記当否抽選の結果が当りとなる期待度が異なる弾球遊技機。
【手続補正２】
【補正対象書類名】明細書
【補正対象項目名】０００６
【補正方法】変更
【補正の内容】
【０００６】
上記課題を解決するために、本発明のある態様の弾球遊技機は、遊技領域が形成された遊技盤と、遊技領域の所定位置に設けられた始動入賞口と、始動入賞口への入球を契機として当否抽選を実行する当否抽選手段と、当否抽選の結果が当りとなった場合に、通常遊技より遊技者に有利な状態である特別遊技を実行する特別遊技制御手段と、当否抽選の結果を示すための図柄が変動表示される図柄表示装置と、図柄の変動表示における変動パターンを決定するための選択基準を参照して、当否抽選の結果に応じて変動パターンを決定する変動パターン決定手段と、変動パターン決定手段により決定された変動パターンにしたがって、図柄を図柄表示装置に変動表示させる図柄表示制御手段と、当否抽選の結果を示すための演出画像が表示される演出表示装置と、複数の演出パターンの中から変動パターン決定手段により決定された変動パターンに対応する演出パターンを選択する演出決定手段と、演出決定手段により選択された演出パターンの演出画像を演出表示装置に表示させる演出制御手段と、を備える。演出表示装置に表示される演出パターンを、ある演出パターンからある演出パターンとは異なる特定の演出パターンに切り替えることが可能であり、特定の演出パターンに切り替えるタイミングは複数設定され、特定の演出パターンに切り替えるタイミングに応じて、当否抽選の結果が当りとなる期待度が異なる。
【手続補正書】
【提出日】平成28年9月15日(2016.9.15)
【手続補正１】
【補正対象書類名】明細書
【補正対象項目名】００２０
【補正方法】変更
【補正の内容】
【００２０】
請求項３に記載された発明に係る要介護者用靴によれば、前述した請求項１又は請求項２の発明の効果に加えてさらに、中敷き保持板と係止舌片間の係合が一旦解除された後に、中敷き保持板が振動して再度両者が係合してしまうことが防止されるため、係止舌片と中敷き保持板の係合の解除を確実に行うことができる。